(57)【要約】  【課題】  多様な陳列面を演出することができるとともに、陳列面への設置が容易で、度決めの効いた仕切りが可能な商品陳列台を提供すること。  【解決手段】  一載置面１１と一載置面１１と連続する他載置面１２からなる略Ｌ字断面の枠体であって、一載置面１１の途中から他載置面１２の途中まで連続する嵌合縦溝と、一載置面及び他載置面の先端裏側にそれぞれ付設される係合片１６、１７とを備える商品陳列補助台１０と、商品陳列補助台１０が取付けられる陳列基台３０を備える。【選択図】    図２
2006015043.tif 000002
【特許請求の範囲】
【請求項１】
一載置面と該一載置面と連続する他載置面からなる略Ｌ字断面又は略Ｖ字断面の枠体であって、該一載置面の途中から他載置面の途中まで連続すると共に、所定のピッチで多数設けた嵌合縦溝と、一載置面の先端裏側及び他載置面の先端裏側にそれぞれ付設される係合片を備え、陳列基台に設置されることを特徴とする商品陳列補助台。
【請求項２】
左側板及び右側板を更に有し、左側板又は右側板には、該商品陳列補助台を左右方向に隣接して設置した際、隣接する２つの商品陳列補助台で協働して該嵌合縦溝と同じ形状の嵌合縦溝を形成する半値嵌合溝を備えることを特徴とする請求項１記載の商品陳列補助台。
【請求項３】
請求項１又は２記載の商品陳列補助台と、該商品陳列補助台の係合片が嵌め込まれる嵌合横溝を所定のピッチで多数設けた陳列基台と、該商品陳列補助台の嵌合縦溝に嵌合する仕切り板とを備えることを特徴とする商品陳列台。
【請求項４】
陳列基台の後方側に商品陳列補助台の係止片が嵌合する嵌合横溝を配設し、前方側に仕切り板が嵌合する嵌合縦溝を配設したことを特徴とする請求項３記載の商品陳列台。
【請求項５】
該嵌合縦溝が形成された前方側と、該嵌合横溝が形成された後方側とが別部材であることを特徴とする請求項４記載の商品陳列台。
【請求項６】
該所定のピッチで多数設けた陳列基台の嵌合横溝又は嵌合縦溝を構成する各々の嵌合溝が、陳列面の一端から他端に至る連続溝であるか、又は不連続溝であることを特徴とする請求項４又は５記載の商品陳列台。
【請求項７】
該陳列基台は、箱状物又は板状物であることを特徴とする請求項３〜６のいずれか１項記載の商品陳列台。
【請求項８】
該商品が、青果物であることを特徴とする請求項３〜７のいずれか１項記載の商品陳列台。
【発明の詳細な説明】
【技術分野】
【０００１】
本発明は、主として青果物売り場で使用される種々の形態の陳列面を演出し、ボリューム感のある陳列ができると共に陳列安定性に優れる商品陳列補助台及びこれを用いる商品陳列台に関するものである。
【背景技術】
【０００２】
従来、青果物売り場で使用される商品陳列台は、例えば図１６及び図１７に示されるように、平面状あるいは階段状の陳列面１０２、２０２を有する陳列台１０５、２０５と、商品仕切り板１０１、２０１とから構成されている。この商品仕切り板１０１、２０１は下端縁が陳列面１０２、２０２の輪郭形状に対応する形状を有する鉛直部材である商品仕切り板本体１０３、２０３と、該下端縁がＴ字形断面を構成する水平部材である基板１０４、２０４を有するものである。また、下端縁がＬ字形断面を構成する基板を用いた商品仕切り板もある。
【非特許文献１】「SALES PROMOTION CATALOG ‘02〜」KAWAJUN、第83頁、2002年発行
【発明の開示】
【発明が解決しようとする課題】
【０００３】
しかしながら、従来の商品陳列台１００、２００における商品仕切り板１０１、２０１は自立型であるため、仕切り板の設置等の作業性はよいものの、商品仕切り板１０１、２０１が転倒することが多く、商品間の仕切りの乱れが問題となる。また、陳列面の形状が単純であるため、陳列の演出効果に乏しく、顧客の目を引く陳列ができないという問題がある。このため、多様な陳列面を演出することができ、陳列面への設置が容易で、度決めの効いた仕切りが可能な商品陳列台及びこれに用いる商品陳列補助台の開発が望まれていた。
【０００４】
従って、本発明の目的は、多様な陳列面を演出することができるとともに、陳列面への設置が容易で、度決めの効いた仕切りが可能な商品陳列台及びこれに用いる商品陳列補助台を提供することにある。
【課題を解決するための手段】
【０００５】
かかる実情において、本発明者らは鋭意検討を行った結果、一載置面と該一載置面と連続する他載置面からなる略Ｌ字断面又は略Ｖ字断面の枠体であって、該一載置面の途中から他載置面の途中まで連続する嵌合縦溝と、一載置面の先端裏側及び他載置面の先端裏側にそれぞれ付設される係合片を備える商品陳列補助台と、該商品陳列補助台の係合片が嵌め込まれる嵌合横溝を所定のピッチで多数設けた陳列基台と、該商品陳列補助台の嵌合縦溝に嵌合する仕切り板とを備える商品陳列台であれば、多様な陳列面を演出することができるとともに、陳列面への設置が容易で、度決めの効いた仕切りが可能であることを見出し、本発明を完成するに至った。
【０００６】
すなわち、本発明（１）は、一載置面と該一載置面と連続する他載置面からなる略Ｌ字断面又は略Ｖ字断面の枠体であって、該一載置面の途中から他載置面の途中まで連続すると共に、所定のピッチで多数設けた嵌合縦溝と、一載置面の先端裏側及び他載置面の先端裏側にそれぞれ付設される係合片を備え、陳列基台に設置される商品陳列補助台を提供するものである。
【０００７】
また、本発明（２）は、左側板及び右側板を更に有し、左側板又は右側板には、該商品陳列補助台を左右方向に隣接して設置した際、隣接する２つの商品陳列補助台で協働して該嵌合縦溝と同じ形状の嵌合縦溝を形成する半値嵌合溝を備える前記商品陳列補助台を提供するものである。
【０００８】
また、本発明（３）は、前記商品陳列補助台と、該商品陳列補助台の係合片が嵌め込まれる嵌合横溝を所定のピッチで多数設けた陳列基台と、該商品陳列補助台の嵌合縦溝に嵌合する仕切り板とを備える前記商品陳列台を提供するものである。
【０００９】
また、本発明（４）は、陳列基台の後方側に商品陳列補助台の係止片が嵌合する嵌合横溝を配設し、前方側に仕切り板が嵌合する嵌合縦溝を配設した前記商品陳列台を提供するものである。また、本発明（５）は、該嵌合縦溝が形成された前方側と、該嵌合横溝が形成された後方側とが別部材である前記商品陳列台を提供するものである。
【００１０】
また、本発明（６）は、該所定のピッチで多数設けた陳列基台の嵌合横溝又は嵌合縦溝を構成する各々の嵌合溝が、陳列面の一端から他端に至る連続溝であるか、又は不連続溝である前記商品陳列台を提供するものである。また、本発明（７）は、該陳列基台は、箱状物又は板状物である前記商品陳列台を提供するものである。また、本発明（８）は、該商品が、青果物である前記商品陳列台を提供するものである。
【発明の効果】
【００１１】
本発明の商品陳列補助台及び商品陳列台によれば、多様な陳列面を演出することができるとともに、陳列面への設置が容易で、度決めの効いた仕切りが可能となる。また、売り場の商品の陳列の乱れを防ぎ、商品陳列のガイドとして、上方向に積み上げるボリューム感のある商品陳列ができる。
【発明を実施するための最良の形態】
【００１２】
本発明において、陳列基台としては、特に制限されないが、例えば、いわゆる床置きの箱状物、別途の基台に設置されるボード（板）状物等が挙げられる。陳列面の形状としては、特に制限されず、水平面、傾斜面、階段状面及びこれらの組み合わせ面が挙げられる。
【００１３】
陳列基台は、陳列面全面に商品陳列補助台が嵌合する嵌合横溝を有するものと、陳列面の後方側に商品陳列補助台が嵌合する嵌合横溝を有し、前方側に仕切り板が嵌合する嵌合縦溝を有するものが挙げられる。また、嵌合縦溝が形成された前方側と、該嵌合横溝が形成された後方側とが別部材であってもよい。
【００１４】
陳列基台の陳列面に所定のピッチで多数形成される商品陳列補助台が嵌合する嵌合横溝又は前方側に形成される仕切り板が嵌合する嵌合縦溝としては、特に制限されず、例えば所定のピッチで多数設けた嵌合横溝又は嵌合縦溝を構成する各々の嵌合溝が、陳列面の一端から他端に至る連続溝であるか、又は不連続溝であるものが挙げられる。なお、本明細書中、「前」とは商品取り出し側（顧客側）を言い、「後」とはその反対側を言う。左右方向は前から見た方向を言う。
【００１５】
嵌合横溝又は嵌合縦溝が陳列面の一端から他端に至る連続溝の場合、その溝深さとしては、特に制限されないが、商品陳列補助台又は仕切り板の設置が安定する深さが好ましい。また、陳列基台である箱状物が側板で囲まれた中空体の場合、連続溝はスリットとして形成される。
【００１６】
商品陳列補助台は、陳列基台の陳列面に設置されるものである。商品陳列補助台は、一載置面と該一載置面と連続する他載置面からなる略Ｌ字断面又は略Ｖ字断面の枠体であって、該一載置面の途中から他載置面の途中まで連続すると共に、所定のピッチで多数設けられた嵌合縦溝と、一載置面の先端裏側及び他載置面の先端裏側にそれぞれ付設される係合片を備えるものであり、前後反転して使用できる。このため、陳列面が傾斜状の陳列基台と組み合わせた場合、階段状の陳列面となったり、ひな壇状となったりして陳列の演出効果を高めることができる。陳列基台に商品陳列補助台を設置する場合、商品陳列補助台の裏面の係合片を陳列基台の嵌合横溝に係合する方法が挙げられる。
【００１７】
仕切り板は、陳列基台に設置された商品陳列補助台の嵌合縦溝に嵌合するか、又は更に陳列基台の前方側の嵌合縦溝に嵌合して、陳列商品を区画するものである。仕切り板の形状としては、特に制限されず、下端縁に突起状の嵌合脚板を有するものと有しないものがある。嵌合脚板を有しないものは、下端縁全長又はその一部又は仕切り板本体の一部が嵌合溝に嵌合する。
【００１８】
次に、本発明の実施の形態における商品陳列補助台を図１及び図２を参照して説明する。図１は本実施の形態例の商品陳列補助台の斜視図であり、図２は図１の商品陳列補助台の側面図である。本例の商品陳列補助台１０は、一載置面１１と一載置面１１と連続する他載置面１２、左側板、右側板１４からなる略Ｌ字断面の枠体であって、一載置面１１の途中から他載置面１２の途中まで連続する嵌合縦溝１３と、一載置面１１の先端裏側１１１及び他載置面１２１の先端裏側にそれぞれ付設される係合片１６、１７を備える。また、左側板又は右側板１４には、商品陳列補助台１０を左右方向に隣接して設置した際、該２つの商品陳列補助台１０、１０が協働して嵌合溝１３と同じ形状の嵌合溝を形成する半値幅の嵌合溝１５を備える。商品陳列補助台１０の係合片１６、１７の形態としては、特に制限されないが、本例では左右方向に連続する板状物であって、一載置面１１となす角度は４５度である。このため、４５度の傾斜陳列面を有する基台（不図示）に設置すれば、一載置面１１は水平な陳列面となる。なお、商品陳列補助台１０の枠体は、一載置面１１と一載置面１１と連続する他載置面１２が直交しているが、これに限定されず、例えば図１３及び図１４に示されるように、６０度のもの又は１２０度に開いた略Ｖ字断面の枠体であってもよい。
【００１９】
次に、本発明の実施の形態における商品陳列台を図３〜図１２を参照して説明する。図３は本実施の形態例の商品陳列台の斜視図、図４は図３の商品陳列台の分解斜視図、図５〜図９、図１１及び図１２は本実施の形態例の他の商品陳列台の斜視図、図１０は図９の商品陳列台の分解斜視図である。
【００２０】
本例の実施の形態における商品陳列台２０は、陳列基台３０と、商品陳列補助台１０と、仕切り板４０とからなる。陳列基台３０は傾斜面を有する矩形状のボード状物３１と該ボード状物に連続する水平面を形成する前方平板部３２からなり、床面に設置される不図示の基台にボード状物の陳列面の傾斜角がαとなるように設置されている。また、傾斜陳列面には、左右方向に延出する横溝３１１が前後方向に所定のピッチで多数設けられ、前方平板部３２には前後方向に延出する縦溝３２１が左右方向に所定のピッチで多数設けられている。嵌合横溝３１１及び嵌合縦溝３２１は、嵌合溝を構成する各々の嵌合溝が、陳列面の一端から他端に至る連続溝である。
【００２１】
商品陳列補助台１０は、陳列基台３０に設置することで、一載置面１１が水平な陳列面を形成できる形状である。また、幅寸法は陳列基台３０と同じ寸法であり、前後方向の長さは、陳列基台３０に２台はゆうに設置できる大きさである。仕切り板４０は細長い板状の仕切り板本体４１と、先端がやや大きな矩形状の前方部材４３と、仕切り板本体４１と前方部材４３を接続する連接部４２を備える。仕切り板４０は商品陳列補助台１０の嵌合縦溝１３及び陳列基台の前方側の嵌合縦溝３２１に嵌合することにより設置される。なお、仕切り板４０は複数使用してもよく、また、嵌合縦溝１３のいずれの溝に嵌合させてもよい。商品陳列台２０によれば、多様な陳列面を演出することができるとともに、陳列面への設置が容易で、度決めの効いた仕切りが可能となる。また、売り場の商品の陳列の乱れを防ぎ、商品陳列のガイドとして、上方向に積み上げるボリューム感のある商品陳列ができる。なお、図４中、他の仕切り板４０ａ、４０ｂは後述する他の商品陳列台で使用するものであるが、形状の比較がし易いように並列記載した。
【００２２】
商品陳列台２０ａにおいて、商品陳列台２０と異なる点は、陳列基台の形状及び仕切り板の形状である（図５参照）。すなわち、商品陳列台２０ａの陳列基台３０ａは、矩形状のボード状物３１ａと前方平板部３２ａを分離したものであり、仕切り板４０ａは細長い板状部材の先端下方が設置形態において水平縁を形成するように切り欠かれたものである。商品陳列台２０ａによれば、矩形状のボード状物３１ａと前方平板部３２ａとの間に若干の隙間ができるものの、当該部分の陳列面積が増加する他は、商品陳列台２０と同様の効果を奏する。
【００２３】
商品陳列台２０ｂにおいて、商品陳列台２０と異なる点は、陳列基台の形状、商品陳列補助台の設置個数及び仕切り板の形状、個数である（図６参照）。すなわち、商品陳列台２０ｂの陳列基台３０ｂは、左右方向に幅広であり、前方平板部３２ｂの嵌合縦溝３２２が該陳列面の中央に位置する部分溝であり、仕切り板４０ｂは細長い板状部材であって、陳列基台の形状に沿うような形態であって、先端下方に前方平板部３２ｂの嵌合縦溝３２２に係合する係合片４１５を設けたものである。また、陳列基台３０ｂが幅広になった分、商品陳列補助台１０の設置個数は２倍の４個となり、仕切り板４０ｂは２倍の２個となっている。商品陳列台２０ｂによれば、陳列面積が増加する他は、商品陳列台２０と同様の効果を奏する。
【００２４】
商品陳列台２０ｃにおいて、商品陳列台２０ａと異なる点は、陳列基台の形状である（図７参照）。すなわち、商品陳列台２０ｃの陳列基台３０ｃは、３角形断面の箱状物である。商品陳列台２０ｃによれば、陳列基台を設置する別途の基台は不要である他は、商品陳列台２０ａと同様の効果を奏する。
【００２５】
商品陳列台２０ｄにおいて、商品陳列台２０と異なる点は、陳列基台の形状である（図８参照）。すなわち、商品陳列台２０ｄの陳列基台３０ｄは、３角形断面の箱状物である。商品陳列台２０ｄによれば、陳列基台を設置する別途の基台は不要である他は、商品陳列台２０と同様の効果を奏する。
【００２６】
商品陳列台２０ｅにおいて、商品陳列台２０ｂと異なる点は、陳列基台の形状及び仕切り板の形状である（図９参照）。すなわち、商品陳列台２０ｅの陳列基台３０ｅは、矩形状のボード状物３１と矩形断面の前方箱状物５０を分離したものであり、仕切り板４０ｅは細長い板状部材の先端下方が設置形態において水平縁４１６を形成するように切り欠かれたものである（図１０参照）。商品陳列台２０ｅによれば、矩形状のボード状物３１と前方箱状物５０との間に段差ができるものの、陳列形態に趣きがある他は、商品陳列台２０ｂと同様の効果を奏する。
【００２７】
商品陳列台２０ｆにおいて、商品陳列台２０ｃと異なる点は、陳列基台の形状、商品陳列補助台の設置個数及び仕切り板の形状である（図１１参照）。すなわち、商品陳列台２０ｆの陳列基台３０ｆは、三角形断面の左右方向に広い陳列面を有する箱状物であり、商品陳列補助台１０を前後方向に３列、左右方向に６つ配置できるものである。また、三角形断面の箱状物の前方部材は薄板状部材の先端に縦溝３２４を左右方向に所定のピッチで多数有する桟部材３２３を有する。更に仕切り板は３つ使用し、２つは前方が大きな四角形状の輪郭を呈する仕切り板４０ｇを用いている。仕切り板４０ｇには、該前方の輪郭が大きな四角形部分に「ａｐｐｌｅ」や「ｏｒａｎｇｅ」のようなキャッチコピーが描かれており、顧客に斬新な陳列形態を演出している。商品陳列台２０ｆによれば、種々の仕切り板を使用することができ、陳列形態に趣きがある他は、商品陳列台２０ｂと同様の効果を奏する。
【００２８】
商品陳列台２０ｇにおいて、商品陳列台２０ｆと異なる点は、陳列基台の右側部分の利用方法が異なる点、及び仕切り板の形状である（図１２参照）。すなわち、商品陳列台２０ｇの陳列基台３０ｇの右側部分は、商品陳列補助台１０を前後方向に反転して形態で設置したひな壇形状である（図１５(Ｂ)参照）。また、仕切り板は３つ共に、陳列基台の輪郭形状に沿ったものである。商品陳列台２０ｇによれば、陳列基台の中央部分及び左側部分は丸物商品Ａの陳列に適し、右側部分は長物商品Ｂの陳列に適し種々の陳列形態が採れる他は、商品陳列台２０ｆと同様の効果を奏する。
【図面の簡単な説明】
【００２９】
【図１】本実施の形態例の商品陳列補助台の斜視図である。
【図２】図１の商品陳列補助台の側面図である。
【図３】本実施の形態例の商品陳列台の斜視図である。
【図４】図３の商品陳列台の分解斜視図である。
【図５】本実施の形態例の他の商品陳列台の斜視図である。
【図６】本実施の形態例の他の商品陳列台の斜視図である。
【図７】本実施の形態例の他の商品陳列台の斜視図である。
【図８】本実施の形態例の他の商品陳列台の斜視図である。
【図９】本実施の形態例の他の商品陳列台の斜視図である。
【図１０】図９の商品陳列台の分解斜視図である。
【図１１】本実施の形態例の他の商品陳列台の斜視図である。
【図１２】本実施の形態例の他の商品陳列台の斜視図である。
【図１３】本実施の形態例の他の商品陳列補助台の側面図である。
【図１４】本実施の形態例の他の商品陳列補助台の側面図である。
【図１５】（Ａ）が階段形状の陳列面を示し、（Ｂ）がひな壇状の陳列面を示す商品陳列台の側面図である。
【図１６】（Ａ）は従来の商品陳列台の分解斜視図であり、（Ｂ）は（Ａ）の組み付け後の商品陳列台の斜視図である。
【図１７】（Ａ）は従来の他の商品陳列台の分解斜視図であり、（Ｂ）は（Ａ）の組み付け後の商品陳列台の斜視図である。
【符号の説明】
【００３０】
１０、１０ａ、１０ｂ    商品陳列補助台
１１                    一載置面
１２                    他載置面
１３                    嵌合縦溝
１４                    右側板
１５                    半値嵌合縦溝
１６、１７              係止片
２０、２０ａ〜２０ｈ    商品陳列台
４０、４０ａ〜４０ｇ    仕切り板
３０、３０ａ〜３０ｇ    陳列基台
【図１】
2006015043.tif 000003
【図２】
2006015043.tif 000004
【図３】
2006015043.tif 000005
【図４】
2006015043.tif 000006
【図５】
2006015043.tif 000007
【図６】
2006015043.tif 000008
【図７】
2006015043.tif 000009
【図８】
2006015043.tif 000010
【図９】
2006015043.tif 000011
【図１０】
2006015043.tif 000012
【図１１】
2006015043.tif 000013
【図１２】
2006015043.tif 000014
【図１３】
2006015043.tif 000015
【図１４】
2006015043.tif 000016
【図１５】
2006015043.tif 000017
【図１６】
2006015043.tif 000018
【図１７】
2006015043.tif 000019